(57)【要約】    【課題】  受信可能なチャンネル状態を常に最新の状態にすることができ、受信機内部の状態の如何を問わずユーザの操作に関する快適性や安定性を保証可能なデジタル放送受信機を提供すること。    【解決手段】  デジタル放送受信機は、チューナを制御することにより受信した放送波をデジタルデータに変換するデコーダと、受信対象となるチャンネルの選択操作を実行するための操作手段と、現在選択中のチャンネルを表示する表示手段と、受信可能なチャンネルリストを記憶する記憶手段と、選択操作が実行されると、リストに基づいて、選択操作に対応するチャンネルが表示されるように表示手段を制御するとともに、デコーダがビジー状態であるかを判断し、デコーダがビジー状態でなければ、表示手段が表示するチャンネルに対応する放送波を受信するようにデコーダを制御する制御手段と、所定のタイミングで上記リストを更新するリスト更新手段とを備える構成にした。【選択図】      図１
2005277997.tif 000002
【特許請求の範囲】
【請求項１】
チューナを制御することにより受信した放送波をデジタルデータに変換する受信手段と、
受信対象となるチャンネルの選択操作を実行するための操作手段と、
チャンネルに関する情報を表示する表示手段と、
受信可能なチャンネルに関するリストを記憶する記憶手段と、
前記選択操作が実行されると、前記リストに基づいて前記選択操作に対応するチャンネルの識別情報を取得し、前記受信手段がビジー状態であるか否かを問わず、前記識別情報を前記表示手段に表示させるとともに、前記受信手段がビジー状態であるかどうかを判断し、前記受信手段がビジー状態でなければ、前記識別情報に対応する放送波を受信するように前記受信手段を制御する制御手段と、
所定のタイミングで前記記憶手段の前記リストを更新するリスト更新手段と、を備えることを特徴とするデジタル放送受信機。
【請求項２】
請求項１に記載のデジタル放送受信機は、
複数のチャンネルを単一の周波数の放送波により配信する規格に準拠しており、
前記受信手段は、前記放送波に含まれる、前記複数のチャンネルに関する情報を取得し、
前記リスト更新手段は、前記情報に基づいて、前記リストを更新することを特徴とするデジタル放送受信機。
【請求項３】
請求項２に記載のデジタル放送受信機において、
前記リスト更新手段は、前記操作手段による操作が実行されておらず、かつ制御手段が前記受信手段はビジー状態ではないと判断すると、前記リストを更新することを特徴とするデジタル放送受信機。
【請求項４】
請求項１に記載のデジタル放送受信機は、
複数のチャンネルを、それぞれ異なる周波数の放送波により配信する規格に準拠しており、
前記受信手段は、前記放送波におけるガードインターバル期間を検出し、
前記リスト更新手段は、前記ガードインターバル期間中において、前記受信手段に現在選択中のチャンネルに対応する周波数以外の周波数を検索して、該検索結果に基づいて前記リストを更新することを特徴とするデジタル放送受信機。
【請求項５】
請求項１から請求項４のいずれかに記載のデジタル放送受信機において、
前記記憶手段は、前記制御手段に内蔵されたＲＡＭであることを特徴とするデジタル放送受信機。
【請求項６】
請求項１から請求項５のいずれかに記載のデジタル放送受信機において、
前記リストは、各チャンネルにおける現在の放送内容に関するデータを含み、
前記表示部は、前記放送内容も表示することを特徴とするデジタル放送受信機。
【請求項７】
請求項１から請求項６のいずれかに記載のデジタル放送受信機において、
前記操作手段は、チャンネル番号を増加させる方向または減少させる方向の少なくとも一方に変化させることにより、受信対象となるチャンネルを選択するように構成されていることを特徴とするデジタル放送受信機。
【請求項８】
人工衛星を用いたデジタル放送を受信可能な請求項１から請求項８のいずれかに記載のデジタル放送受信機。
【請求項９】
操作部によるチャンネルの選択操作を検出し、
前記選択操作が検出されると、常に最新の状態に保たれたチャンネルリストに基づいて前記選択操作に対応するチャンネルの識別情報を取得し、
受信した放送波をデジタルデータに変換する受信部がビジー状態であるか否かを問わず、前記識別情報を表示部に表示し、
前記受信部がビジー状態であるかどうかを判断し、
前記判断結果がビジー状態でなければ、前記受信部が前記識別情報に対応する放送波を受信するデジタル放送受信機におけるチャンネル設定方法。
【請求項１０】
請求項９に記載のデジタル放送受信機におけるチャンネル設定方法において、
前記チャンネルリストは、前記選択操作が検出されず、かつ前記判断結果がビジー状態でない場合に更新されるデジタル放送受信機におけるチャンネル設定方法。
【請求項１１】
請求項９または請求項１０に記載のチャンネル設定方法を、複数のチャンネルを単一の周波数の放送波により配信する規格に準拠したデジタル放送受信機に実行させるプログラム。
【発明の詳細な説明】
【技術分野】
【０００１】
この発明は、多チャンネルを有するデジタル放送の受信機に関する。
【背景技術】
【０００２】
近年、デジタル放送が普及するにつれて、該放送のチャンネル数も増加しつつある。そのためデジタル放送は、従来のアナログ放送に比べて、放送（局）の開設や廃止、さらには、受信可能なデジタル放送のチャンネル状態の再編成といったことが多くある。このようなチャンネル状態の再編成等にユーザが逐次対応して自らが保有するデジタル放送受信機のチャンネル設定を変更することは煩に堪えない。そこで、煩雑な操作を行うことなく、受信可能なデジタル放送のチャンネル状態を常に最新の状態にしておきたいといったユーザの要望がある。
【０００３】
また、一般にデジタル放送受信機を構成するデコーダは、ユーザがチャンネルを選択する操作を実行した直後の一定期間は、チューナを制御して該選択に対応したチャンネルの放送の受信処理（以下、単にチャンネル設定動作という）を実行するため、制御部からの制御信号は一切受け付けない、いわゆるビジー状態に入る。従って、デコーダのビジー状態の期間中にユーザがさらなるチャンネルの選択操作をした場合、その操作が受け付けられず、操作に対するレスポンスが低下したような現象が起き、ひいては受信機の動作の信頼性に対する悪印象をユーザに持たせる場合がある。そのため、受信機内部の状態の如何を問わず、実際のユーザの操作に対応した迅速な処理が実行されるような構成のデジタル放送受信機の実用化も強く要望されている。
【０００４】
ここで、前者の要望に対しては、例えば、以下に示す特許文献１に一例が開示されている。特許文献１のデジタル放送受信機は、放送波受信中に、受信可能なデジタル放送のチャンネル状態の変化に対応して、受信機内における、受信可能なチャンネルを示すテーブルを自動的に変更している。
【０００５】
【特許文献１】特開２００２−３７４４６７号公報
【０００６】
しかしながら、特許文献１に開示されるデジタル放送受信機は、最新のチャンネル状態が保たれるが、デコーダがビジー状態にある時の問題については対処することができない。
【発明の開示】
【発明が解決しようとする課題】
【０００７】
そこで上記事情に鑑み、本発明は、受信可能なデジタル放送のチャンネル状態を常に最新の状態にすることができ、さらには受信機内部の状態の如何を問わずユーザの操作に関する快適性や安定性を保証することができるデジタル放送受信機を提供することを目的とする。
【課題を解決するための手段】
【０００８】
このため、請求項１に記載のデジタル放送受信機は、チューナを制御することにより受信した放送波をデジタルデータに変換する受信手段と、受信対象となるチャンネルの選択操作を実行するための操作手段と、現在選択中のチャンネルを表示する表示手段と、受信可能なチャンネルに関するリストを記憶する記憶手段と、制御手段と、所定のタイミングで記憶手段のリストを更新するリスト更新手段と、を備える。詳しくは、制御手段は、選択操作が実行されると、リストに基づいて選択操作に対応するチャンネルの識別情報を取得し、受信手段がビジー状態であるか否かを問わず、識別情報を表示手段に表示させるとともに、受信手段がビジー状態であるかどうかを判断し、受信手段がビジー状態でなければ、識別情報に対応する放送波を受信するように受信手段を制御する制御手段と、を特徴とする。
【０００９】
請求項１に記載のデジタル放送受信機によれば、受信手段がユーザの前回のチャンネル選択操作にかかるチャンネル設定動作によってビジー状態となっていても、ユーザのチャンネルの選択操作に対応したチャンネル表示が制御手段によって実行される。そして、受信手段は、ビジー状態が解除されたら直ちに表示中のチャンネルに対応した放送波を受信するように制御される。さらに、チャンネル表示に用いられるリストは、リスト更新手段によって最新の情報に更新されている。以上の構成により、上述したユーザの二つの要望を同時に実現することができる。
【００１０】
本発明に係るデジタル放送受信機を、複数のチャンネルを単一の周波数の放送波により配信する規格に準拠させた場合、受信手段は、放送波に定期的に含まれる、複数のチャンネルに関する情報を取得することができる。従って、リスト更新手段は、該情報に基づいて、リストを更新することができる（請求項２）。この場合、リスト更新手段は、前記操作手段による操作が実行されておらず、かつ制御手段が前記受信手段はビジー状態ではないと判断すると、前記リストを更新することが好ましい（請求項３）。
【００１１】
また、本発明に係るデジタル放送受信機を、複数のチャンネルを、それぞれ異なる周波数の放送波により配信する規格に準拠させた場合、受信手段は、放送波におけるガードインターバル期間を検出し、リスト更新手段は、該ガードインターバル期間中において、受信手段に現在選択中のチャンネルに対応する周波数以外の周波数を検索して、該検索結果に基づいてリストを更新することができる（請求項４）。
【００１２】
なお、上記記憶手段は、制御手段に内蔵されたＲＡＭを用いることができる（請求項５）。また、上記リストは、各チャンネルにおける現在の放送内容に関するデータも含むことができる（請求項６）。請求項６に記載の発明によれば、ユーザの選択操作に応じて、チャンネル番号のみならず、選択されたチャンネルで現在放送中の内容、例えば曲名やアーティスト名、放送ジャンル等も表示することができる。よって、ユーザにとっての利便性をより向上させることができる。
【００１３】
また、本発明に係るデジタル放送受信機は、チャンネル番号を増加させる方向または減少させる方向の少なくとも一方に変化させることにより、受信対象となるチャンネルを選択するように構成された操作手段を使用する場合に好適である。すなわち、該操作手段のように、チャンネル番号を連続的に増加または減少させることによって選択可能な構成の場合、複数のチャンネル番号の選択を経て所定のチャンネルが選択される可能性がある。この場合、選択操作の過程において一時的に選択されるチャンネルの各々について、受信手段がチャンネル設定動作を繰り返していては、ユーザの操作に対するレスポンス性能は低下し、操作の確実性、安定性が保証されなくなるおそれがある。これに対し、上述したような本発明に係るデジタル放送受信機であれば、表示手段は、ユーザの操作に迅速に対応したチャンネル表示が可能であるとともに、受信手段は、ユーザが選択した所望のチャンネルを短時間で受信可能になる。これにより、操作の快適性や安定性が損なわれることなくなり、ユーザの便宜に資することができる。
【発明の効果】
【００１４】
このように本発明に係るデジタル放送受信機によれば、デコーダの状態の如何を問わず、ユーザの選択操作に対応したチャンネル表示がなされ、かつ短時間で選択されたチャンネルの放送波を受信することができる。加えて、該チャンネル表示は、常に最新の状態に対応した表示内容とすることができる。これにより、ユーザは、安定し、かつ快適な選択操作を実行することができる。
【００１５】
また、本発明に係るデジタル放送受信機によれば、デコーダのビジー状態の期間の長短を問わず、迅速にチャンネル表示を行って、ユーザの操作に対する安定性、信頼性を保証することができる。つまり本発明に係るデジタル放送受信機は、デジタル音声放送のみならず、チャンネル設定時に相対的にビジー状態が長くなりがちなデジタル映像放送にも好適である。さらには、本発明に係るデジタル放送受信機は、地上波デジタル放送と衛星デジタル放送のいずれにも好適に実施される。
【発明を実施するための最良の形態】
【００１６】
図１は本発明の実施形態のデジタル放送受信機１０の概略構成を表すブロック図である。図１に示すように、実施形態のデジタル放送受信機１０は、人工衛星を用いたデジタル放送に対応した受信機である。以下の説明では、便宜上、該デジタル放送は、単一の周波数に多数の放送チャンネルを有するものとして説明する。デジタル放送受信機１０は、制御部１、デコーダ２、チューナ３、Ｄ／Ａコンバータ４、操作部５、表示部６、ＲＡＭ７、スピーカＳＰを有する。
【００１７】
制御部１は、以下に詳述するデジタル放送の受信に関する一連の動作制御をはじめ、受信機１０全体の制御を実行する。デコーダ２は、制御部１の制御の下、チューナ３を制御してユーザによって選択されたチャンネルの放送波を受信し、復調する。Ｄ／Ａコンバータ４は、デコーダ２によってデジタルデータに変換された音声データをアナログデータに変換する。アナログデータに変換された音声データは、スピーカを介して外部に出力される。なお、表示部６は、現在ユーザによって選択されているチャンネルの情報（例えば、チャンネル番号）をはじめ、デジタル放送受信機１０の動作に関連する情報を必要に応じて表示する。
【００１８】
ＲＡＭ７は、制御部１が所定のタイミングでデータを読み出しまたは書き込み可能なメモリである。ＲＡＭ７に記憶されるデータとしては、単一の周波数が有する全チャンネルに関するリスト等が例示される。該リストは、制御部１が後述のチャンネル受信に関する一連の動作制御を行う際にＲＡＭ７から読み出して使用する。図２（Ａ）にＲＡＭ７内にあるリストの一例を示す。図２（Ａ）に示すように、該リストには、各チャンネルが現在受信可能かどうかに関する情報を保有する。
【００１９】
ここで、デコーダ２は、チューナ３を介して受信する放送波に定期的に含まれる多数のチャンネルに関する情報を常時検出している。制御部１は、予め定められたタイミングでデコーダ２から該情報を取得し、該情報を用いてＲＡＭ７に記憶されるリストの更新を行っている。つまり、ＲＡＭ７に記憶されているリストは、常に最新の状態に維持されている。
【００２０】
操作部５は、チャンネルアップボタン５ａ、チャンネルダウンボタン５ｂ、電源ボタン５ｐをはじめとするいくつかの操作ボタンを有する。具体的には、チャンネルアップボタン５ａ／チャンネルダウンボタン５ｂは、一回押下する毎に、それぞれ現在受信しているチャンネルの次／前のチャンネルを選択するように構成される。各ボタンが操作されると、操作部５は、各ボタンに対応する信号を制御部１に送信する。
【００２１】
以上のような構成のデジタル放送受信機１０におけるデジタル放送受信に関する一連の動作について以下詳述する。図３は、制御部１が行う、デジタル放送受信に関する処理の流れを示すフローチャートである。図３に示す処理は、チャンネル設定処理とリスト更新処理の二種類に大別される。チャンネル設定処理は、主として、ユーザの選択操作に応じて受信するチャンネルを設定する（切り替える）処理をいう。またリスト更新処理は、ＲＡＭ７に記憶されるリストを最新情報に更新する処理をいう。以下では、チャンネル設定処理とリスト更新処理を分けて説明をする。但し、実際のデジタル放送受信機において、各処理は、個別に切り離されて実行される処理ではない。図３に示すように、両者は必ず制御部１の一連の処理の一環として特定の条件が満たされた時に実行される。
【００２２】
（チャンネル設定処理）
ユーザが操作部５を操作して、デジタル放送受信機１０の電源を入れると、制御部１は、リストの更新処理の基準となるチャンネル番号Ｎを初期値（ここでは、１ｃｈ）に設定する。なお、Ｓ１で設定されるチャンネル番号Ｎは、ユーザが選択する（視聴しよう）とするチャンネル番号とは異なるものである。次いで、制御部１はＳ３の処理に進む。
【００２３】
Ｓ３では、制御部は、デコーダ２からチャンネル設定動作を終了した旨の通知（チャンネル設定通知）を受信したかどうかを判断する。ここでは、電源投入直後であり、デコーダ２はチャンネル設定動作を実行していないため、上記の通知はないと判断し（Ｓ３：無）、Ｓ５に進む。なお仕様によっては、電源投入直後、デコーダ２は前回電源切断時に選択されていたチャンネルの放送を受信するように動作することも考えられるが、便宜上、該動作についての説明は省略する。
【００２４】
次いで、Ｓ５において、制御部１は、ユーザが操作部１の各ボタン５ａ、５ｂを操作してチャンネルの選択を行ったかどうかを判断する。もし、ユーザがチャンネルの選択を行っていれば（Ｓ５：ＹＥＳ）、制御部１は、Ｓ７に進む。
【００２５】
Ｓ７において、制御部１は、ユーザの選択操作に対応したチャンネル番号（有効なチャンネル番号）を取得する。具体的には、制御部１は、まず操作部１からの信号がチャンネルアップに関する信号かチャンネルダウンに関する信号かを判別する。すなわち、制御部１は、該選択操作が現在受信中のチャンネルの次のチャンネルを選択する操作であるか、あるいは前のチャンネルを選択する操作であるかを判別する。そして、ＲＡＭ７内にあるリストを参照して、判別結果に対応したチャンネル番号を取得する。例えば、現在受信中のチャンネルが４ｃｈのときにユーザがチャンネルアップボタン５ａを押下した場合を想定する。この場合、制御部１は、図２（Ａ）に示すＲＡＭ７内にあるリストを参照し、４ｃｈの次に有効なチャンネル番号である８ｃｈを取得する。
【００２６】
次いで制御部１は、取得した有効なチャンネル番号（ここでは、８ｃｈ）が表示されるように表示部６を駆動制御する（Ｓ９）。次いで、Ｓ１１において、制御部１はフラグがＯＮされているかどうかを判断する。フラグは、デコーダ２がチャンネル設定動作中であることを示すため、後述するＳ１５においてセットされるものである。ここでは、デコーダ２は、チャンネル動作中ではないと判断し（Ｓ１１：ＮＯ）、Ｓ１３に進む。
【００２７】
Ｓ１３において、制御部１は、Ｓ７において取得した有効なチャンネル番号（ここでは、８ｃｈ）の放送を受信するように、デコーダ２にチャンネル設定指示を送信する。そして、チャンネル設定指示送信後、制御部１は、デコーダ２が、チャンネル設定動作に入った状態、（つまりビジー状態）であることを示すためのフラグをセットする（Ｓ１５）。そして、Ｓ３の処理に戻る。
【００２８】
ここで、デコーダ２がビジー状態のまま（ここでは、８ｃｈのチャンネル設定動作中）であり、かつユーザがさらなる選択操作を行わない場合、Ｓ３、Ｓ５、Ｓ１７の処理を繰り返す（Ｓ３：無、Ｓ５：ＮＯ、Ｓ１７：ＹＥＳ）。そして、デコーダ２から８ｃｈのチャンネル設定通知が送信されると（Ｓ３：有）、制御部１は、Ｓ１５でセットしたフラグをクリアする（Ｓ１９）。
【００２９】
次いで、制御部１は、デコーダ２が受信可能に設定したチャンネルの番号が表示部６によって表示されているチャンネル番号と一致しているかどうかを判断する（Ｓ２１）。ここでは、デコーダ２がチャンネル設定動作中にユーザによってさらなるチャンネルの選択操作は行われていないと想定しているため、デコーダ２が設定したチャンネル番号と表示部６に表示中のチャンネル番号は同一（８ｃｈ）である。従って、制御部１は、８ｃｈについてのチャンネル設定処理を終了する。
【００３０】
制御部１がＳ３、Ｓ５、Ｓ１７の処理を繰り返している間に、ユーザがさらなる選択操作を行った場合（Ｓ５：ＹＥＳ）、制御部１は、上述したＳ７、Ｓ９の処理を実行する。例えば、ユーザが８ｃｈの表示を見て、さらにチャンネルアップボタン５ａを押下すると、制御部１は、表示部６に９ｃｈを表示させる。
【００３１】
次いで、制御部１は、Ｓ１１において、フラグが立っているかどうかを判断する。上記の通り、ここでは、まだデコーダ２は、８ｃｈのチャンネル設定動作中である。そのため、制御部１は、フラグが立っていると判断し（Ｓ１１：ＹＥＳ）、Ｓ３の処理に戻る。
【００３２】
次いで、制御部１は、８ｃｈのチャンネル設定通知を受信するまで、さらなる選択操作の有無に応じて、上述した処理を繰り返す。つまり、９ｃｈの表示を見てユーザがさらなる選択操作を実行すると（Ｓ５：ＹＥＳ）、Ｓ７、Ｓ９、Ｓ１１の処理を実行する。また、９ｃｈを選択した後、ユーザがさらなる選択操作を実行しなければ（Ｓ５：ＮＯ）、Ｓ１７の処理を実行する。
【００３３】
制御部１は、８ｃｈのチャンネル設定通知を受信すると（Ｓ３：ＹＥＳ）、フラグをクリアし、Ｓ２１の処理を行う。ここで、デコーダ２が受信可能に設定したチャンネル番号が８ｃｈであるのに対し、表示部６に表示中のチャンネル番号は９ｃｈである。従って、制御部１は二つのチャンネル番号が一致していないと判断し、Ｓ１３、Ｓ１５の処理に進む。つまり、デコーダ２に９ｃｈの設定を実行させる。
【００３４】
以上のようにチャンネル設定処理が実行されるため、ユーザはチャンネル設定操作に対応したチャンネル番号を表示部６で直ちに確認することができる。よってユーザの操作に対する安定性や快適性が保証される。
【００３５】
（リスト更新処理）
デコーダ２は、電源投入直後に受信した放送波からチャンネル情報を取得する。制御部１は、予め該情報に基づいてリストを生成し、ＲＡＭ７に書き込んでおく。リスト更新処理は、ユーザによる選択操作がなく（Ｓ５：ＮＯ）、かつデコーダ２がビジー状態でない、換言すれば制御部１がフラグを立てていないとき（Ｓ１７：ＮＯ）に実行される。
【００３６】
Ｓ１７でフラグが立っていないと判断すると、制御部１は、Ｓ１で設定したチャンネル番号Ｎを基準に次に有効なチャンネル番号の情報をデコーダ２から取得する（Ｓ２３）。上記の通り、デコーダ２は、放送波に定期的に含まれる多数のチャンネルに関する情報を常時検出している。従って、Ｓ２３で制御部１は常に最新のチャンネル情報を取得することになる。
【００３７】
次いで、制御部１は、Ｓ２３で取得したチャンネル情報を用いてＲＡＭ７内にあるリストを更新する（Ｓ２５）。図２（Ｂ）に、更新後のリストを示す。図２（Ａ）、（Ｂ）に示すように、チャンネル番号Ｎ（ここでは１ｃｈ）の次に有効なチャンネル（ここでは４ｃｈ）を受信可能とし、両チャンネルの間にある全チャンネルを受信不可とする。従って、従前は受信可能であった２ｃｈは更新後受信不可になっていることが分かる。
【００３８】
次いで、制御部１は、Ｓ２３で取得したチャンネル番号を、リストの更新処理の基準となるチャンネル番号Ｎに設定する。ここでは、４ｃｈをチャンネル番号Ｎに設定する。そして、制御部１は、再びＳ３に戻る。Ｓ３に戻った時点において、まだユーザによる選択操作がない場合には（Ｓ５：ＮＯ）、再び上記の処理を繰り返す。以上が、リスト更新処理である。このように、本実施形態のリスト更新処理は、受信可能なチャンネルを一つずつ更新していく構成にしている。これにより、リスト更新処理のために必要以上の負担をかけることなく、ユーザの操作に即座に対応できる状態を維持しつつも、リストを最新状態に保つことができる。但し、受信可能なチャンネル１つあたりのリスト更新処理に要する時間や負荷がわずかなものであるならば、Ｓ２３やＳ２５の処理で複数の受信可能なチャンネルのリスト更新を行うことも可能である。
【００３９】
以上が本発明の実施形態である。なお、本発明に係るデジタル放送受信機は、上記実施形態に限定されるものではなく、以下に説明するような変形例を適用しても上記実施形態と同様の効果を奏することができる。
【００４０】
例えば、上記実施形態では、デジタル放送受信機１０が受信するデジタル放送は、単一の周波数に多数のチャンネルを有する放送規格であると説明したが、本発明に係るデジタル放送受信機が受信可能なデジタル放送が該放送規格に限定されるものではない。例えば、多数のチャンネルを有する単一の周波数を複数種類もつデジタル放送であっても本発明を実施することができる。また、上記実施形態のデジタル放送受信機１０は、デジタル音声放送を受信しているが、これに限定されるものではなく、例えばデジタル映像放送であってもよい。デジタル映像放送の場合、デコーダ２がビジー状態となる期間がデジタル音声放送よりも長くなるおそれがある。そのため、ユーザの便宜により一層資することができる。
【００４１】
さらに、本発明に係るデジタル放送受信機は、一つの周波数に一つのチャンネルが割り当てられている放送規格であっても適用できる。但し、該放送規格の場合、上記実施形態におけるＳ２３の処理を実行する、つまり特定の周波数（チャンネル）を受信中に他の有効な（受信可能な）周波数に関する情報を得ることは困難である。そこで、この場合、以下のようにしてリスト更新処理を行う。
【００４２】
Ｓ１７で、フラグが立っていないと判断すると、制御部１は、上記Ｓ２３の代わりに以下の処理を行う。すなわち、制御部１は、デコーダ２に現在受信中の放送波がいわゆるガードインターバル期間であるかどうかを検出させる。そして、ガードインターバル期間であることが検出されると、制御部１は、デコーダ２に他の周波数の放送波を受信させて、該他の周波数のチャンネル情報を取得する。次いで、Ｓ２５以降の処理を実行する。このように、本発明によれば、様々な放送規格の如何を問わず、チャンネルに関するリストを常に最新の状態に更新することができる。
【００４３】
また、ＲＡＭ７内にあるリストが保有する情報としては、必ずしも受信可能なチャンネル情報のみに限定されるものではない。例えば、図２（Ａ）、（Ｂ）に示すように、各チャンネルで現在放送している内容、例えば曲名やアーティスト名等の情報を保有することも可能である。従って、上記実施形態のＳ７において、制御部１は、有効なチャンネル番号を取得するだけでなく、該チャンネルで現在放送中の情報も取得し、Ｓ９において表示部６に表示させることもできる。これにより、ユーザは、多数あるチャンネルの中から所望の内容を放送中のチャンネルをより簡易に選択することができる。なお、放送内容に関する情報も表示する場合、制御部１は、リスト更新処理中に該情報も更新する。例えば図２（Ａ）、（Ｂ）によれば、４ｃｈがリスト更新処理によって「ＣＣＣＣ」から「ＨＨＨＨ」に更新されていることが分かる。
【００４４】
なお、上記実施形態では、リストを記憶するためにＲＡＭを用いている。ここで、ＲＡＭとしてＥＥＰＲＯＭ等の不揮発性メモリを用いることも可能である。この場合、電源の切断によってリストが消えることはなくなる。そのため、再度電源投入した時、制御部１は、デコーダ２にリスト作成のための問い合わせをすることなく、ＥＥＰＲＯＭが記憶する前回電源切断時のリストを初期のリストとして使用することもできる。
【００４５】
また、上記実施形態のように本発明は、衛星デジタル放送だけでなく、近年開始された地上デジタル放送にも適用することができる。
【図面の簡単な説明】
【００４６】
【図１】本発明の実施形態のデジタル放送受信機の概略構成を表す図である。
【図２】本実施形態のＲＡＭに記憶されるリストの一例である。
【図３】本実施形態のデジタル放送受信機の制御部が行う処理に関するフローチャートである。
【符号の説明】
【００４７】
１    制御部
２    デコーダ
３    チューナ
５    操作部
６    表示部
７    ＲＡＭ
１０    デジタル放送受信機
【図１】
2005277997.tif 000003
【図２】
2005277997.tif 000004
【図３】
2005277997.tif 000005